(57)【要約】【課題】  この発明は、サルその他の動物の居住領域と田畑との間に境界領域を作り、境界領域を越えようとする動物を威嚇して撃退することを課題とするものである。【課題手段】  この発明の動物撃退装置は、加圧気体の送気管３に電磁弁４を設置し、この電磁弁４より下流側に加圧気体の流入によって匂いが噴出するようにした忌避剤の容器５を配設し、前記電磁弁４には動物の接近を検知するセンサー７を接続して構成する。匂いが拡散することにより動物を効果的に撃退することができる。【選択図】  図１
2006304636.tif 000002
【特許請求の範囲】
【請求項１】
加圧気体の送気管に電磁弁を設置し、この電磁弁より下流側に加圧気体の流入によって匂いが容器外に拡散するようにした忌避剤の容器を配設し、前記電磁弁には動物の接近を検知するセンサーを接続した、動物撃退装置
【請求項２】
容器は、容器本体の口部に装着される密栓に加圧気体の送気管が挿通される２つの孔と、匂いを容器外に拡散するための微少径の孔とを設けて構成し、この容器を複数個直列に配設した、請求項１記載の動物撃退装置
【請求項３】
匂いを容器外へ拡散するための微少径の孔は、密栓に注射針を挿通して構成した、請求項２記載の動物撃退装置
【請求項４】
給気側の送気管の下端は容器の底部に至る長さとし、排気側の送気管の下端は前記給気側の送気管の下端位置よりも上方とした、請求項２記載の動物撃退装置
【発明の詳細な説明】
【技術分野】
【０００１】
この発明は、サルの撃退を目的に開発されたものであるが、イノシシ、シカなどサル以外の農作物に危害を加える動物を撃退に広く使用することのできるものである。
【背景技術】
【０００２】
近年サルの害が増大しているが、サルの害を防止するためには、サルを殺すことなく撃退する必要がある。その有効な手段は、サルの群と田畑とを分離することである。サルの群と田畑とが分離されることにより、サルが農作物を食い荒らすことがなくなり、かつサルの摂取カロリーも減少するので、サルの数の増加も抑えることができ、恒久的にサルの害を減少させることができる。
【０００３】
従来サルを撃退するためには、サルを発見した際に地域の住民が花火を打ち上げるなどしてサルを威嚇し、撃退している。しかしながら、花火は持続性がないので、花火の打ち上げが終わるとサルは田畑に入り込む。また花火による撃退を繰り返すうちにサルが花火は危険でないことを学習し、その効果が低下する。
加えて、花火は火災の危険があること、保管中に湿気を含み使用できなくなる場合があることなどの問題点もある。
従来、花火など音による威嚇の他に、電気的な威嚇、光による威嚇などが行われているが、どれも持続性に欠ける。持続性のある威嚇手段として、動物のいやがる匂いを拡散する方法がある。
また、サルの群と田畑とを分離するためには、サルの居住地域と田畑との間に境界領域を帯状に形成することが重要である。
【特許文献１】特開平１１−１５１０６２号公報
【０００４】
上記特許文献の発明は、臭気剤としてハーブと松脂を含んだ溶液を散布して動物を撃退するものであるが、この発明においては動物の出没と無関係に常時散布しておかなければならない。サルの群と田畑との境界領域は長い距離に及ぶものであるから、溶液を散布使用とすると、散布量は多量となり、かつ作業の手間も大きなものとなるので、サルの撃退には適さない。
【特許文献２】特開平９−９８７０８号公報
【０００５】
上記特許文献の発明は、田畑の周囲に張り込み線を配設し、動物がこれに触れることによって着火発音部材が着火し、爆発音を発生せるようにしたものである。この発明は爆発音によって威嚇するものであるから、上記花火の問題点として指摘した点をそのままもっており、効果の持続性が期待できない。
【発明の開示】
【発明が解決しようとする課題】
【０００６】
この発明は、サルその他の動物の居住領域と田畑との間に境界領域を作り、境界領域を越えようとする動物を威嚇して撃退すること、そして威嚇の効果が持続するようにすることに適した動物撃退装置を得ることを課題とするものである。
【課題を解決するための手段】
【０００７】
この発明の動物撃退装置は、加圧気体の送気管に電磁弁を設置し、この電磁弁より下流側に加圧気体の流入によって匂いが噴出するようにした忌避剤の容器を配設し、前記電磁弁には動物の接近を検知するセンサーを接続して構成する。
前記加圧気体は、容器内の匂いを容器の外に拡散させる力があればよい。
前記忌避剤は、動物がいやがる匂いを拡散する物質であればよく、実施例に示す液体の他、固体であってもよい。
前記加圧気体の流入によって匂いが噴出するようにする手段としては、微少径の孔を設けるほか、匂いの噴出孔に逆止弁を設ける構成も考えられる。
前記センサーは、動物の存在を検知することのできるあらゆる手段を含むものである。例えば、赤外線センサーなどの光学的なセンサーの他、動物の居住領域と田畑との境界領域に動物が接触する高さでワイヤなどの線材を配設し、この線材に動物が接触することによって電磁弁のスイッチがONされるような構成も含まれる。
前記電磁弁にはタイマーを付け、電源がONされた後所定時間後（例えば１０秒ないし数分）に自動的にOFFとなるようにすることもできる。
【０００８】
請求項２の発明は  容器は、容器本体の口部に装着される密栓に加圧気体の送気管が挿通される２つの孔と、匂いを容器外に拡散するための微少径の孔とを設けて構成し、この容器を複数個直列に配設したものである。
前記微少径の孔とは、加圧気体が容器内に供給されたときに匂いが容器外に拡散し、加圧気体の供給がないときには匂いの拡散が可及的に生じないような孔をいう。
１本の加圧気体の送気管に取り付けることのできる容器の数は、加圧気体の圧力低減を考慮して決定する。境界領域の距離が長いときには、複数の送気管を用いたり、加圧気体の圧力を高めることとなる。
【０００９】
請求項３の発明は、給気側の送気管の下端は容器の底部に至る長さとし、排気側の送気管の下端は前記給気側の送気管の下端位置よりも上方として構成したものである。
この容器を用いることにより、複数直列に配設された１個目の容器に液体の忌避剤を入れ、加圧気体を供給することにより、排気側の送気管から液体が押し出されて２番目以降の容器に流入するので、１個目の容器にのみ液体の忌避剤を入れることによって全ての容器に忌避剤を入れることができる。
排気側の送気管の高さによって、容器内に収容される忌避剤の量が決まる。
【００１０】
請求項４の発明は、匂いを容器外へ拡散するための微少径の孔を、密栓に注射針を挿通して構成したものである。
【発明の効果】
【００１１】
この発明の装置は、動物の居住領域と田畑との境界領域に加圧気体の送気管、容器及びセンサーを配設して使用する。
動物が境界領域に入ると、これをセンサーが検知して加圧気体の送気管に取り付けた電磁弁がONとなり、加圧気体が容器に供給される。加圧気体が容器に供給されると、容器内の匂いを含んだ空気が加圧気体に押し出されて微少径の透孔を経て容器の外に拡散する。
匂いの拡散は加圧気体の供給が続く間継続し、容器から拡散された匂いは大気中に拡散しつつもある程度の時間匂いの効果を持続する。その結果、音や光のように瞬間的な威嚇ではなく継続した威嚇が可能となり、かつ境界領域全体における面的な広がりのある威嚇を行うことができる。そして匂いが薄くなった後再度境界を越えると再び匂いが拡散する。
したがって、動物が境界領域を越えて田畑に入り込むことを防止することができる。
【発明を実施するための最良の形態】
【００１２】
以下実施例を説明する。
【実施例】
【００１３】
エアーコンプレッサ１に加圧気体（加圧空気）の送気本管２が接続してあり、送気本管２に複数の送気支管３，３ａ、３ｂ（以下まとめて「３」と表示することがある）が接続してあり、各送気支管３の基端に電磁弁４，４ａ、４ｂ（以下まとめて「４」と表示することがある）が取り付けてある。
前記送気支管３と送気支管３ａには、忌避剤を収納した容器５が多数直列に取り付けてあり、送気支管３ｂには飛翔体の発射装置６が取り付けてある。
前記送気支管３は動物居住域Ａと田畑Ｂとの境界領域Ｃ中、動物居住域Ａに近接して配設してあり、ケモノ道Ｄの近傍に容器５が集中して配設してある。また、前記送気支管３ａは境界領域Ｃ中、田畑よりに配設してあり、ほぼ等間隔で容器５が取り付けてある。
また、前記境界領域Ｃの動物居住域Ａ側に赤外線センサー７がほぼ等間隔で（例えば１０メートル間隔）で設置してあり、センサー７による動物の検知信号が前記各電磁弁４に入力され、電磁弁がONとなり加圧空気が流れるようにしてある。前記各電磁弁４は手動スイッチ１６によってOFFとなり、加圧空気の流れが止まるようにしてある。
なお、前記センサー７の信号により近隣住民の携帯電話やパソコンに、動物が接近している旨の通知がされるようにしておいたり、サイレンが鳴るようにしておくと、住民は動物の接近を即時に知ることができる。
【００１４】
前記容器５は、図２に示すように、容器本体の口部にゴム製の密栓５ａを装着してあり、密栓５ａには２個の透孔８、９が設けてある。一方の透孔８には送気支管３又は３ａの給気側１０が装着してあり、その下端は容器５の底部に至っている。他方の透孔９には送気支管３又は３ａの排気側１１が装着してあり、その下端は前記給気側１０よりも上方に位置している。
また、前記密栓５ａには注射針１２が針先を下にして上下に貫通させてあり、この注射針１２によって微少径の孔を形成している。
【００１５】
前記飛翔体の発射装置６は、図３に示すように案内筒６ａの基部に前記送気支管３ｂの端部を接続して構成してあり、前記案内筒６ａに飛翔体１３をセットし、加圧空気を供給することにより飛翔体１３が飛ぶようにしてある。
前記飛翔体１３は、図４に示すように、先端側を小径とした有底・中空の円錐形であり、内部に動物が嫌う匂いを発散する忌避剤１４を装着し、周壁には匂いを拡散せるための透孔１３ｂが設けてある。なお、前端にはシリコンゴム製の球体が取り付けてある。
なお、飛翔体の発射装置６は送気支管３ｂに複数取り付け、各発射装置ごとに電磁弁を取り付け、各電磁弁のONとなるタイミングをずらすことによって、複数の飛翔体を所定間隔ごとに発射させることができる。また、飛翔体の発射装置において、送気支管３ｂに弁を取り付けて、手動で弁を開閉させて飛翔体を発射させるようにしてもよい。
【００１６】
上記実施例の動物撃退装置を使用するためには、送気支管３及び送気支管３ａの一番目の容器に忌避剤としての匂い液１５を入れる。次いで電磁弁をONにして加圧気体を容器に供給する。加圧気体の供給によって１番目の容器内の匂い液１５は押し出され、排気側１１から流出して二番目の容器に流入する。同じ要領で全ての容器内に順次匂い液１５が流入する。
各容器における匂い液１５の量は、送気支管３，３ａの排気側１１の下端位置に揃う。なお、ケモノ道Ｄに配置した送気支管３に取り付けた容器には強い匂いの匂い液を使用し、田畑よりに配置した送気支管３ａに取り付けた容器には弱い匂いの匂い液を使用するとよい。
併せて、飛翔体の発射装置６に飛翔体１３をセットする。
以上で準備が完了する。
【００１７】
動物が境界領域Ｃに入ると、センサー７が検知し、センサーの信号によって各電磁弁４がONとなり、加圧気体が各送気支管３に流入する。
送気支管３，３ａの加圧気体は給気側１０から匂い液１５の底部に供給され、加圧気体によって匂い液１５にバブリングが発生し、匂いが発散される。同時に容器内は加圧気体で満たされるので、容器内の匂いを含んだ空気は注射針１２から外に排出され、匂いが拡散する。
前記排出空気の量は容器に流入する加圧気体の量よりも圧倒的に少ないので、加圧気体は排気側１１から２個目の容器へ流れ、以下同様にして各容器から匂いを含んだ空気が排出される。
上記のようにして匂いの拡散を行った後、適宜手動スイッチによって又はタイマーにより電磁弁をOFFとして、匂いの拡散を停止する。
【００１８】
他方、送気支管３ｂに取り付けた電磁弁４ｂがONになると、飛翔体の発射装置６に加圧空気が供給されるので、加圧気体の圧力によって飛翔体１３が発射される。この飛翔体１３には忌避剤１４が装着してあるので、飛翔体１３は忌避剤の匂いを拡散させつつ飛行する。
したがって飛翔体は、飛翔体にねらわれていると動物に意識させる、という物理的効果と共に匂いの拡散による効果とを発揮することとなる。また、飛翔体が飛行中に音を発生するようにすると（例えば笛機能を付ける）、音による威嚇効果も得ることができる。
【産業上の利用可能性】
【００１９】
この発明は、匂いという動物がなれることがなく、かつ音のように瞬間的ではなく効果が持続する匂いを威嚇手段とすることにより、動物の学習効果による効果の低減を回避できるものであり、加えて匂いは面として拡散するので動物の居住領域と田畑とを画然と分けることができる。そして、センサーによる作動とすることによって完全な自動化が可能であるなどの特徴を有し、産業上の利用可能性を備えたものである。
【図面の簡単な説明】
【００２０】
【図１】この発明実施例の概略図
【図２】同じく容器の正面図
【図３】同じく飛翔体の発射装置の正面図
【図４】同じく飛翔体の正面図
【符号の説明】
【００２１】
Ａ    動物居住域
Ｂ    田畑
Ｃ    境界領域
Ｄ    ケモノ道
１    エアーコンプレッサー
２    送気本管
３、３ａ，３ｂ    送気支管
４，４ａ、４ｂ    電磁弁
５    容器
６    発射装置
７    センサー
８、９  透孔
１０  送気側
１１  排気側
１２  注射針
１３  飛翔体
１４  忌避剤
１５  匂い液    
１６  手動スイッチ
【図１】
2006304636.tif 000003
【図２】
2006304636.tif 000004
【図３】
2006304636.tif 000005
【図４】
2006304636.tif 000006